(57)【要約】【課題】  筐体内のプラテンガラス下方でキャリッジを副走査方向に移動させながら、キャリッジに搭載した読取光源を点灯させた状態で、キャリッジを副走査方向に移動させながら、プラテンガラス上にセットされた原稿等の読取対象の画像面を読み取る画像読取装置において、読取光源を点灯させることなく消費電力を節約した構成で読取基準位置の補正を高精度に行うことを課題とする。【解決手段】  画像読取装置１に、プラテンガラス８のホームセンサ５側の縁部上方に配置されてＣＣＤセンサ４で受光され得る試験光を出力する省電力光源７と、キャリッジ２１・２２をホームポジションから移動させて、キャリッジ２１がホームセンサ６で検出されなくなった時点と省電力光源７からの試験光がＣＣＤセンサ４で受光された時点との間にキャリッジ２１が移動した距離に基づき、予め設定されている読取基準位置を補正する制御手段としてのコントローラ５と、を設ける。【選択図】  図１
2006222780.tif 000002
【特許請求の範囲】
【請求項１】
筐体の上面に取り付けられたプラテンガラスと、
前記筐体内のプラテンガラス下方で副走査方向に往復移動するキャリッジと、
前記キャリッジに搭載されて、前記プラテンガラス上にセットされた読取対象に対して読取光を照射する読取光源と、
前記読取対象で反射された読取光を受光するＣＣＤセンサと、
前記キャリッジが前記筐体内の副走査方向一端のホームポジションに位置するか否かを検出するホームセンサと、
を具備した画像読取装置において、
前記プラテンガラスのホームセンサ側の縁部近傍に配置されて、前記ＣＣＤセンサで受光され得る試験光を出力する省電力光源と、
前記省電力光源を点灯させて前記読取光源は消灯させた状態で前記キャリッジをホームポジションから移動させて、該キャリッジが前記ホームセンサで検出されなくなった時点と前記省電力光源からの試験光が前記ＣＣＤセンサで受光された時点との間に前記キャリッジが移動した距離に基づき、予め設定されている読取基準位置を補正する制御手段と、
を備えたことを特徴とする画像読取装置。
【請求項２】
前記制御手段による読取基準位置の補正に係るチェックは、前記画像読取装置の電源が投入されたときに行われることを特徴とする請求項１に記載の画像読取装置。
【請求項３】
前記制御手段による読取基準位置の補正に係るチェックは、前記画像読取装置が省エネルギーモードに移行したときに行われることを特徴とする請求項１又は請求項２に記載の画像読取装置。
【請求項４】
前記制御手段による読取基準位置の補正に係るチェックは、予め設定された所定日時に行われることを特徴とする請求項１から請求項３のうち何れか一項に記載の画像読取装置。
【発明の詳細な説明】
【技術分野】
【０００１】
本発明は、コピー機やファクシミリ装置等が具備する画像読取装置の読取基準位置を補正するための制御技術に関する。
【背景技術】
【０００２】
コピー機やファクシミリ装置等が具備する画像読取装置は、読取光源を搭載したキャリッジを副走査方向に走査させながら、プラテンガラス上にセットされた読取対象（原稿等）に対して読取光を照射し、その反射光をＣＣＤセンサで受光して読取対象の画像を読み取るように構成されている。
この画像読取装置の読取基準位置は、キャリッジを駆動するステッピングモータのステップ制御により、ホームポジションにあるキャリッジがホームセンサで検出されなくなったときからのステッピングモータのステップ数に基づいて決められたり、ＣＣＤセンサの所定の画素位置によって決められたりしていた。
【０００３】
しかしながら、このやり方では、機械毎に読取基準位置にバラツキが生じてしまい、そこで、特許文献１に開示されている画像読取装置では、プラテンガラス上に読取対象を載せないでプラテンカバーを閉め、読取光源を点灯させた状態でキャリッジを走査させてＣＣＤセンサによりプレスキャンを行うことで、読取基準位置の補正を行うように構成されている。
【０００４】
詳しくは、特許文献１に開示されている画像読取装置では、読取光源を点灯させた状態でキャリッジを走査させたときに、ＣＣＤセンサによりプラテンガラスの端点を検出し、端点とイメージエリア出力信号との時間差を演算して、ＣＣＤセンサの読み取り開始位置及びイメージエリア信号の出力時間を補正するように構成されている。
【特許文献１】特開平８−１８７４８号公報
【発明の開示】
【発明が解決しようとする課題】
【０００５】
本発明では、特許文献１とは全く異なる構成で、読取光源を点灯させることなく、消費電力を節約した構成で、読取基準位置の補正を高精度に行う画像読取装置を提供することを課題とする。
【課題を解決するための手段】
【０００６】
本発明の解決しようとする課題は以上のとおりであり、次にこの課題を解決するための手段を説明する。
まず、請求項１に記載のように、筐体の上面に取り付けられたプラテンガラスと、前記筐体内のプラテンガラス下方で副走査方向に往復移動するキャリッジと、前記キャリッジに搭載されて、前記プラテンガラス上にセットされた読取対象に対して読取光を照射する読取光源と、前記読取対象で反射された読取光を受光するＣＣＤセンサと、前記キャリッジが前記筐体内の副走査方向一端のホームポジションに位置するか否かを検出するホームセンサと、を具備した画像読取装置において、前記プラテンガラスのホームセンサ側の縁部近傍に配置されて、前記ＣＣＤセンサで受光され得る試験光を出力する省電力光源と、前記省電力光源を点灯させて前記読取光源は消灯させた状態で前記キャリッジをホームポジションから移動させて、該キャリッジが前記ホームセンサで検出されなくなった時点と前記省電力光源からの試験光が前記ＣＣＤセンサで受光された時点との間に前記キャリッジが移動した距離に基づき、予め設定されている読取基準位置を補正する制御手段と、を備えた構成とする。
【０００７】
また、請求項２に記載のように、前記制御手段による読取基準位置の補正に係るチェックは、前記画像読取装置の電源が投入されたときに行われる構成とする。
【０００８】
そして、請求項３に記載のように、前記制御手段による読取基準位置の補正に係るチェックは、前記画像読取装置が省エネルギーモードに移行したときに行われる構成とする。
【０００９】
さらに、請求項４に記載のように、前記制御手段による読取基準位置の補正に係るチェックは、予め設定された所定日時に行われる構成とする。
【発明の効果】
【００１０】
本発明は、以上のように構成したことにより、次のような効果を奏する。
まず、請求項１に記載の発明では、蛍光灯ランプ等の読取光源を点灯させることなく読取光源は消灯しておいて、ＬＥＤランプ等の省電力光源を点灯させた状態で読取基準位置の補正に係るチェックを行い、これにより消費電力を節約することができて、省エネルギー化を図ることができる。また、この発明では、キャリッジをホームポジションから移動させてキャリッジがホームセンサで検出されなくなった時点と省電力光源からの試験光がＣＣＤセンサで受光された時点との間にキャリッジが移動した距離に基づき加減算を行って、予めプログラム上で設定されている読取基準位置を補正するように構成されて、簡単な演算で高精度に読取基準位置の補正を行うことができ、信頼性が向上する。
【００１１】
また、請求項２に記載の発明では、読取基準位置はそれほど頻繁にずれるものではないことから、プラテンガラス上に原稿等をセットして読取処理がなされる毎に読取基準位置の補正に係るチェックを行うのではなく、朝出社したときなど、前記画像読取装置の電源が投入されたときに読取基準位置の補正に係るチェックを行うように構成したことで、読取基準位置の補正に係るチェックの頻度が低く抑えられて、より一層消費電力を節約することができ、省エネルギー化を図ることができる。
【００１２】
そして、請求項３に記載の発明では、読取基準位置はそれほど頻繁にずれるものではないことから、プラテンガラス上に原稿等をセットして読取処理がなされる毎に読取基準位置の補正に係るチェックを行うのではなく、何人かのユーザによる一連の読取処理を終えて、画像読取装置が省エネルギーモードに移行したときに読取基準位置の補正に係るチェックを行うように構成したことで、読取基準位置のチェックの補正に係る頻度が低く抑えられて、より一層消費電力を節約することができ、省エネルギー化を図ることができる。また、読取処理前に読取基準位置の補正に係るチェックを行うと、読取処理が開始されるまでユーザを待たせることになるが、この発明ではユーザを待たせることもなく画像読取装置が省エネルギーモードに移行したときに読取基準位置の補正に係るチェックを行い、作業性の向上を図ることができる。
【００１３】
さらに、請求項４に記載の発明では、読取基準位置はそれほど頻繁にずれるものではないことから、プラテンガラス上に原稿等をセットして読取処理がなされる毎に読取基準位置の補正に係るチェックを行うのではなく、例えば、毎週月曜日の朝９時など、予め設定された所定日時に読取基準位置の補正に係るチェックを行うように構成したことで、読取基準位置の補正に係るチェックの頻度が低く抑えられて、より一層消費電力を節約することができ、省エネルギー化を図ることができる。
【発明を実施するための最良の形態】
【００１４】
次に、本発明の実施の一形態を、図面を参照しながら説明する。
図１はコピー機やファクシミリ装置等が具備する画像読取装置１の平面図、図２は同じく側面断面図であり、画像読取装置１は、装置本体フレームを構成する筐体１０と、筐体１０の上面に取り付けられたプラテンガラス８と、筐体１０内のプラテンガラス８下方で副走査方向に往復移動するフルレートキャリッジ２１とハーフレートキャリッジ２２とから成る走査装置２と、フルレートキャリッジ２１に搭載されて、プラテンガラス８上にセットされた原稿等の読取対象３０に対してプラテンガラス８の主走査方向に線状の一条の読取光を照射する蛍光灯ランプ等の読取光源２０と、プラテンガラス８上の読取対象３０で反射された読取光をミラー２６・２７・２８及びレンズ３を介して受光するＣＣＤ（電荷結合素子：ｃｈａｒｇｅ  ｃｏｕｐｌｅｄ  ｄｅｖｉｃｅ）センサ４と、フルレートキャリッジ２１が筐体１０内の副走査方向一端のホームポジションに位置するか否かを検出する検出手段であるホームセンサ６と、筐体１０上部の一側端部に回動自在に取り付けられて、プラテンガラス８を開閉自在に覆うプラテンカバー（図示略）と、を備え、該プラテンカバーを閉じた状態で、プラテンガラス８上にセットした原稿等の読取対象３０の画像を読み取るように構成されている。
【００１５】
筐体１０内部に配置された走査装置２は、読取光源２０と第１ミラー２６とを搭載したフルレートキャリッジ２１と、第２ミラー２７と第３ミラー２８とを搭載したハーフレートキャリッジ２２とから成り、この２つのキャリッジ２１・２２を駆動するための駆動装置は、駆動源であるステッピングモータ９（図３参照）と、筐体１０内部の副走査方向一側端部に配置されてステッピングモータ９により駆動される駆動軸と、該駆動軸に取り付けられた歯付きの大径プーリと小径プーリと、筐体１０内部の副走査方向他側端部に配置された従動軸と、該従動軸に取り付けられた歯付きの大径プーリと小径プーリと、該駆動軸の大径プーリと該従動軸の大径プーリとに巻回された歯付きの外ベルトと、該駆動軸の小径プーリと該従動軸の小径プーリとに巻回された歯付きの内ベルトと、を備え、該外ベルトにフルレートキャリッジ２１が取り付けられ、該内ベルトにハーフレートキャリッジ２２が取り付けられている。そして、駆動軸の大径プーリと小径プーリの直径を２：１の比率に形成するとともに、従動軸の大径プーリと小径プーリの直径を２：１の比率に形成して、フルレートキャリッジ２１の速度に対して、ハーフレートキャリッジ２２を半分の速度で駆動するように構成している。
【００１６】
この画像読取装置１においては、副走査方向に定速で移動するフルレートキャリッジ２１と、フルレートキャリッジ２１の半分の速度で移動するハーフレートキャリッジ２２とを連動させて往復移動させ、プラテンガラス８上にセットした原稿等の読取対象３０の画像面に向けてフルレートキャリッジ２１の読取光源２０から読取光を照射する。そして、読取対象３０の画像面で反射された読取光はフルレートキャリッジ２１の第１ミラー２６と、ハーフレートキャリッジ２２の第２ミラー２７と第３ミラー２８と、を介して筐体１０内部の副走査方向他側部側へ向けて反射されて、第３ミラー２８で反射された読取光をレンズ３を介してＣＣＤセンサ４に結像させ、光情報を電気信号に変換したデジタル信号を生成するように構成されている。
【００１７】
筐体１０上面における副走査方向一側端部（ホームセンサ６側端部）において、筐体１０上面のフレームとプラテンガラス８の境界に沿って、上部フレーム１１が取り付けられ、該上部フレーム１１の副走査方向他側端部（反ホームセンサ６側端部）はプラテンガラス８の縁部近傍（縁部上方）に突出されている。この上部フレーム１１におけるプラテンガラス８の縁部上方への突出部１１ａに前記ミラー２６・２７・２８を介してＣＣＤセンサ４で受光され得る試験光を出力するＬＥＤランプ等の省電力光源７が取り付けられている。
【００１８】
詳述すると、上部フレーム１１の突出部１１ａの下面には凹部が形成されて、該凹部内に省電力光源７が埋設され、該省電力光源７からの試験光が四方八方に拡散せずに一方向（真下）に向けてのみ照射されるように構成されている。この省電力光源７はフルレートキャリッジ２１のホームポジション位置に配置されており、該省電力光源７の真下にフルレートキャリッジ２１の第１ミラー２６の焦点が位置するときに、該省電力光源７からの試験光がミラー２６・２７・２８を介してＣＣＤセンサ４の所定の領域（結像点）で受光されるように構成されている。
【００１９】
この省電力光源７の上部フレーム１１における長手方向（主走査方向）の配置位置であるが、本実施の形態では、該省電力光源７は上部フレーム１１の長手方向一端部に配置して、プラテンガラス８の角部上方に位置する構成としているが、該省電力光源７は上部フレーム１１の長手方向中央部等に配置してもよく、上部フレーム１１の長手方向における配置位置は特に限定するものではない。
【００２０】
図３に示すように、前記ＣＣＤセンサ４、ホームセンサ６、省電力光源７、ステピングモータ９、読取光源２０等は画像読取装置１の制御手段であるコントローラ５に通信接続されている。ＣＣＤセンサ４で読み取りを開始する読取基準位置は、ホームポジションで待機しているキャリッジ２１・２２が駆動を開始してフルレートキャリッジ２１がホームセンサ６で検出されなくなった時点からプラテンガラス８の読取領域に進入する時点までの時間、又はステッピングモータ９の回転ステップ数に基づいてコントローラ５の制御プログラムに予め設定されており、この読取基準位置は次のようにチェック（プレスキャン）が行われて、プログラム上の読取基準位置とチェックにより実測した読取基準位置との間にズレが生じている場合には、補正が行われるように構成されている。
【００２１】
コントローラ５では、省電力光源７を点灯させて読取光源２０は消灯させた状態でキャリッジ２１・２２をホームポジションから移動させて、フルレートキャリッジ２１がホームセンサ６で検出されなくなった時点（第１の時点）とフルレートキャリッジ２１の第１ミラー２６の焦点が省電力光源７の真下に位置して該省電力光源７からの試験光がＣＣＤセンサ４で受光された時点（第２の時点）との間にフルレートキャリッジ２１が移動した距離に基づき、プログラム上で設定されている読取基準位置を補正するように構成されている。
【００２２】
第１の時点の方が第２の時点よりも先の場合、該第１の時点と該第２の時点との間にフルレートキャリッジ２１が移動した距離をこの間の時間又はこの間に回転したステッピングモータ９の回転ステップ数に基づいて算出して、プログラム上で設定されている読取基準位置にこのフルレートキャリッジ２１が移動した距離を加算する補正を行い、新たな読取基準位置を設定する。
【００２３】
一方、第１の時点の方が第２の時点よりも後の場合、該第１の時点と該第２の時点との間にフルレートキャリッジ２１が移動した距離をこの間に回転したステッピングモータ９の回転ステップ数に基づいて算出して、プログラム上で設定されている読取基準位置からこのフルレートキャリッジ２１が移動した距離を減算する補正を行い、新たな読取基準位置を設定する。
【００２４】
なお、第１の時点と第２の時点とが同時である場合は、プログラム上で設定されている読取基準位置の補正は行われない。
【００２５】
以上のようにして蛍光灯ランプ等の読取光源２０を点灯させることなく読取光源２０は消灯しておいて、ＬＥＤランプ等の省電力光源７を点灯させた状態で読取基準位置の補正に係るチェックを行い、これにより消費電力を節約することができて、省エネルギー化を図ることができるとともに、この補正は簡単な演算で高精度に行うことができ、信頼性が向上する。
【００２６】
この読取基準位置はそれほど頻繁にずれるものではないことから、プラテンガラス８上に原稿等の読取対象３０をセットして読取処理がなされる毎に読取基準位置の補正に係るチェックを行うのではなく、朝出社したときなど、画像読取装置１の電源が投入されたときに読取基準位置の補正に係るチェックを行うように構成してもよく、この構成によれば、読取基準位置の補正に係るチェックの頻度が低く抑えられて、より一層消費電力を節約することができ、省エネルギー化を図ることができる。
【００２７】
または、何人かのユーザによる一連の読取処理を終えて、画像読取装置１が省エネルギーモードに移行したときに読取基準位置の補正に係るチェックを行うように構成してもよく、この構成によれば、読取基準位置の補正に係るチェックの頻度が低く抑えられて、より一層消費電力を節約することができ、省エネルギー化を図ることができる。読取処理前に読取基準位置の補正に係るチェックを行うと、読取処理が開始されるまでユーザを待たせることになるが、この構成ではユーザを待たせることもなく画像読取装置１が省エネルギーモードに移行したときに読取基準位置の補正に係るチェックを行うように構成されて、作業性の向上を図ることができる。
【００２８】
あるいは、予め設定された所定日時に読取基準位置の補正に係るチェックを行うように構成してもよく、例えば、毎週月曜日の朝９時などに読取基準位置の補正に係るチェックを行うように構成することで、読取基準位置の補正に係るチェックの頻度が低く抑えられて、より一層消費電力を節約することができ、省エネルギー化を図ることができる。
【００２９】
以上、読取基準位置の補正に係るチェックの時期について３例示したが、これら３例のうち２例以上を併用してもよく、あるいは、これら３例とは全く別の時期に読取基準位置の補正に係るチェックを行ってもよく、読取基準位置の補正に係るチェックの時期については特に限定しないものとする。
【図面の簡単な説明】
【００３０】
【図１】画像読取装置１の概略構成を示す平面図。
【図２】画像読取装置１の概略構成を示す側面断面図。（ａ）はキャリッジ２１・２２がホームポジションにあるときの図。（ｂ）はキャリッジ２１・２２が副走査方向へ向けて移動しているときの図。
【図３】画像読取装置１の制御構成を示すブロック図。
【符号の説明】
【００３１】
１    画像読取装置
２    走査装置
３    レンズ
４    ＣＣＤセンサ
５    コントローラ
６    ホームセンサ
７    省電力光源
８    プラテンガラス
９    ステッピングモータ
１０    筐体
１１    上部フレーム
１１ａ  突出部
２０    読取光源
２１    フルレートキャリッジ
２２    ハーフレートキャリッジ
２６    第１ミラー
２７    第２ミラー
２８    第３ミラー
３０    読取対象
【図１】
2006222780.tif 000003
【図２】
2006222780.tif 000004
【図３】
2006222780.tif 000005